(57)【要約】【課題】化学汚染や細菌汚染等が発生した場合、現場等において応急的に除染処置が可能な設備を急速に構築できるようにし、またテント内を複数の室に仕切る際、隙間を無くして室の遮蔽効果を高めることが出来るようにする。【解決手段】気柱で骨組みされる骨格２に天幕３を被せ、天幕３の内部空間を横カーテン４またはブースカーテン１１により前後方向に複数室に仕切って、脱衣室Ａとシャワー室Ｂ、Ｃと、着衣室Ｄを形成する。そしてカーテン４で仕切る場合は天幕３との隙間を無くすよう図り、ブースカーテン１１で仕切るときは、シャワー室が閉鎖されるようにする。そしてシャワー室Ｂ、Ｃには、シャワー液を受けるトレー７と、すのこ８を配設し、シャワー室Ｂ、Ｃの前後に、スロープ台９を設けてすのこ８への昇降が楽に行えるようにする。【選択図】　　　図２
2004069400.tif 000002
【特許請求の範囲】
【請求項１】
気柱で骨組みされる骨格に天幕が取り付けられる除染テントであって、前記天幕の内部空間はカーテンにより複数の部屋に仕切られており、このカーテンのうち、少なくとも一部のカーテンの端部は、隣り合う水平方向に伸びる気柱の中心軸を結ぶ線を越えて天幕側に存在するようにされるとともに、複数の部屋の少なくとも一部屋がシャワー室にされ、このシャワー室には、シャワー液を受けるトレーが設けられ、また、トレー上にはすのこが配設されることを特徴とする除染テント。
【請求項２】
気柱で骨組みされる骨格に天幕が取り付けられる除染テントであって、前記骨格の内側には、天幕の内部空間の一部を囲繞し且つ天幕の内部空間を複数の部屋に仕切るブーステントが設けられ、このブーステントで囲まれる内部空間部の少なくとも１つがシャワー室とされることを特徴とする除染テント。
【発明の詳細な説明】
【０００１】
【発明の属する技術分野】
本発明は、例えば化学汚染や放射能汚染や細菌汚染等を受けた場合、病院に搬送する前に現場等で緊急的に除染措置を行ったり、病院内に入る前に病院の入り口で除染措置を行うのに適した除染テントに関する。
【０００２】
【従来の技術】
近年、例えば化学汚染や放射能汚染や細菌汚染等の緊急事態に対する防護措置の重要性が叫ばれるようになっており、これらの事態が発生すると、二次汚染の被害拡大を防止するため、患者を病院に運び込む前に、現場または適当な個所で緊急的な除染措置を行う必要がある。
このため、緊急に展張できるテント等を利用してシャワー室等を構築する必要があり、この際、テントを短時間で形成させるには、気柱を骨格にしたテント等を使用することが好ましい。また、テント等の内部を複数の室に仕切り、シャワー室の前後に脱衣室や着衣室等を設けて、シャワーを浴びる前に脱衣し、シャワーが終えた後に、病院搬送用の着衣に着替えることが出来れば一層好ましい。
ここで、気柱を骨格にした空気テントとしては、例えば特開平８−２７０２６５号や、特開平１１−２６４２６４号のような技術が知られており、これらの技術では、内部に仕切りカーテンを吊下げて隔離部屋を構成するようにしている。
【０００３】
【発明が解決しようとする課題】
ところが、上記のような技術の仕切りカーテンによる間仕切り方法は、カーテンによる室の隔離に隙間が多くて遮蔽効果が完全でなく、例えばシャワー室で化学汚染や細菌汚染等を除染している間に、カーテンの隙間を通して隣室にシャワー液等が侵入する可能性があり、例えば隣室が着衣室であるような場合に、汚染物除去が終えて病院搬送用の着衣に着替えている人等が再度、汚染される可能性がある等の問題があった。
【０００４】
そこで本発明は、化学汚染や細菌汚染等が発生した場合、現場等において応急的に除染処置が可能な設備を急速に構築することができ、またテント内を複数の室に仕切る際は、隙間を無くして室の遮蔽効果を高めることが出来るようにすることを目的とする。
【０００５】
【課題を解決するための手段】
上記目的を達成するため本発明は、気柱で骨組みされる骨格に天幕が取り付けられる除染テントにおいて、前記天幕の内部空間をカーテンにより複数の部屋に仕切って、このカーテンのうち、少なくとも一部のカーテンの端部は、隣り合う水平方向に伸びる気柱の中心軸を結ぶ線を超えて天幕側に存在するようにするとともに、複数の部屋の少なくとも一部屋をシャワー室にし、このシャワー室には、シャワー液を受けるトレーを設け、また、このトレー上にはすのこを配設するようにした。
【０００６】
ここで、テントの骨組みを気柱の骨格にすれば、テントを短時間で形成させることができ、しかも、構築手順が、気柱に天幕を取り付け、気柱に空気を入れるだけの簡単な手順で、緊急時にも迅速に対応出来る。
そして、シャワー室内のすのこの上で被災者等がシャワーを浴びて汚染物質等を洗い流すとともに、除染に使用されたシャワー液をトレーで受けるようにし、このトレーに溜まった液体は、例えばバキューム等で回収すれば、汚染物質等をシャワー室の外部に漏洩させないで処理することが出来る。
【０００７】
また、カーテンのうち、少なくとも一部のカーテンの端部が、隣り合う水平方向に伸びる気柱の中心軸を結ぶ線を越えて天幕側に存在するようにすることで、天幕との間に隙間を生じさせないことが出来るようになり、シャワー室のシャワー液や汚染物質等が隣室に侵入するような事態を防止することが出来、例えば除染が完了した人が再び汚染されるような不具合を防止できる。
ここで、カーテンを骨格の下部に吊下げるようにすれば、簡単に設置出来るが、この際、カーテンの端部と天幕との間に大きな隙間が生じ易くなる。このため、例えばカーテンに、骨格の外形に合わせた凹所と結合部を設け、この凹所で骨格を抱き込むようにして結合部で結合すれば、隙間を無くすことができる。更に、天幕とカーテンの端部に、ファスナやベルベットファスナ等の固定具を設け、天幕とカーテンの端部を連結させることにより、さらに天幕とカーテンの端部の隙間をなくすことが出来る。
また、カーテンの下端部は、必要に応じてその外側部分を局部的に中敷シートの端部や天幕の内側等に固定するようにすれば、下端部側の天幕との隙間を無くすことが出来る。
【０００８】
また本発明では、気柱で骨組みされる骨格に天幕が取付けられる除染テントであって、前記骨格の内側には、天幕の内部空間の一部を囲繞し且つ天幕の内部空間を複数の部屋に仕切るブーステントを設け、このブーステントで囲まれる内部空間部の少なくとも１つをシャワー室とした。
ここで、化学汚染や放射能汚染や細菌汚染等では、二次汚染防止のため、汚染物質が付着したものを破棄する必要があり、通常の除染テントでは、処理後、テント全体を破棄する必要が生じるが、骨格の内部に、一定空間を囲繞するブーステントを設け、このブーステント内でシャワー液による除染措置を行うようにすれば、シャワー液や汚染物質等が外部に漏洩して骨格や天幕等に触れる機会がなくなり、骨格や天幕等を繰り返して使用出来るようになって経済的である。
【０００９】
【発明の実施の形態】
本発明の実施の形態について添付した図面に基づき説明する。
ここで図１は本発明に係る除染テントの一例を示す斜視図、図２は同テントの内部構造を示す説明図で、（ａ）は内部透視図、（ｂ）は平面視による区画図、図３は横カーテンの取り付け状態の説明図、図４は横カーテンの正面図、図５は縦カーテンの取り付け状態の説明図、図６は除染テントの他の構成例を示す骨格内部構造の斜視図である。
【００１０】
本発明に係る除染テントは、化学汚染や細菌汚染等が発生した場合、現場等において応急的に除染処置が可能な設備を急速に構築することができ、また天幕内を複数の室に仕切る際、隙間を無くして室の遮蔽効果を高めることが出来るようにされている。
【００１１】
すなわち、本除染テント１の第一構成例は、図１、図２に示すように、気柱によって構成される骨格２と、この骨格２に取付けられて外部空間と内部空間を遮蔽することの出来る天幕３を備えており、この天幕３内は、前後方向（入口から出口に向かう方向）に対して、三枚の横カーテン４によって、入口側の脱衣室Ａと、中間部のシャワー室Ｂ、Ｃと、出口側の着衣室Ｄに区分けされ、各部屋は、中央を縦方向に仕切る縦カーテン５によってそれぞれ左右２部屋Ａ１・Ａ２、Ｂ１・Ｂ２、Ｃ１・Ｃ２、Ｄ１・Ｄ２に区分けされている。各部屋を縦カーテン６で仕切ることによって、例えばＡ１、Ｂ１、Ｃ１、Ｄ１は男性用、Ａ２、Ｂ２、Ｃ２、Ｄ２は女性用等と分けることが出来る。また、この場合、横カーテン４には、二つの入口、出口を設けることが好ましい。
【００１２】
そして、被災者は脱衣室Ａで脱衣した後、シャワー室Ｂで最初の除染シャワーを浴び、シャワー室Ｃですすぎシャワーを浴びて除染措置を完全ならしめ、その後、着衣室Ｄで病院用の服に着替えた後、病院に搬送するようにされている。
【００１３】
このため、シャワー室Ｂ、Ｃ内にはシャワー設備６が設けられるとともに、シャワー室の内部には、シャワー液を受けるトレー７や、すのこ８が設けられ、また、脱衣室Ａとシャワー室Ｂとの間、及びシャワー室Ｃと着衣室Ｄとの間には、被災者を載せたストレッチャー等がすのこ８を円滑に通過出来るよう、スロープ台９が設けられている。
【００１４】
前記骨格２は、一本の気柱から構成され、一箇所の給気孔から入気すると、骨格２全体に入気できるようにされるとともに、排気孔が複数箇所に設けられ、折り畳むような際に排気を迅速に行えるようにされている。
【００１５】
前記天幕３は、骨格２の外部から被せるようにして取付けられており、外部空間と内部空間を遮断するとともに、入口部と出口部には、ファスナ、或いはスリットの二重合わせ構造等により開閉自在な開閉部３ｈが設けられており、シャワー室Ｂ、Ｃのシャワールームでシャワーを浴びても、シャワー液等が外部に漏洩しないようにされている。
【００１６】
前記横カーテン４は、図３、図４に示すように、テント１の断面形状に合わせた形状にされるとともに、中央部にファスナまたはスリット重ね合わせ構造の開閉部４ｉが設けられ、骨格２の気柱に対応する部分には凹所ｄが形成されている。そして、この凹所ｄの開口端部には、図４に示すように、一対の固定ベルトｇが取付けられており、一方側の固定ベルトｇには、締付金具等が取り付けられている。
【００１７】
そして、この横カーテン４を取り付ける際は、図３に示すように、骨格２の気柱を凹所ｄで抱き込むようにし、固定ベルトｇを締付け固定することにより、カーテン４の上端部が、隣り合う水平方向に延出する骨格２の気柱の中心軸を結ぶ線を越えて天幕３側に存在するようにし、天幕３との隙間を無くすようにしている。
また、横カーテン４の下端部は、図３に示すように、連結ベルトｒにより中敷シート１０の端部に連結するようにしている。
【００１８】
前記縦カーテン５は、図５に示すように、上部に設けられる複数の固定ベルトｊを骨格２の頂部水平気柱に締付け固定することにより、それぞれの室Ａ、Ｂ、Ｃ、Ｄを左右に仕切るようにしている。
【００１９】
前記シャワー設備６は、不図示のシャワー液源に接続されるホースや、シャワー液を送給するポンプや、シャワー液を適温に調整する温調器等を備えており、前記ホースの一部は、シャワー室内に導かれ、その先端部には、固定式またはハンド式のシャワーヘッド等が取付けられている。
【００２０】
前記トレー７は、空気を注入して膨らませると液体を溜めることが出来るような折り畳み式のプール型にされるとともに、シャワー室Ｂ、Ｃ下方に載置され、シャワー液を受けることが出来るようにされるとともに、不図示のバキューム機構等から延出する排水管等が接続され、溜まったシャワー液を吸い込んでタンク等に回収出来るようにされている。このようなトレー７は、四角い枠状に形成したエアチューブにシートを固定する等によって形成することができるが、エアチューブの上面にシートを被せてシートを着脱自在にすることによって、シートのみを使い捨てにし、エアチューブは再利用できるようにすることが可能である。
【００２１】
前記すのこ８は、トレー７の上部に位置決めセットされ、またすのこ８の前後方向の両端部には前記スロープ台９が設けられて、スロープ台９への昇降がスムーズに行われるようにしている。
【００２２】
以上のような除染テント１において、化学汚染や放射能汚染や細菌汚染等の被災者等が発生すると、現場等において、急速に組み立てて除染設備を構築し、脱衣室Ａで服を脱がせた後、入口側の横カーテン４の開閉部４ｉを通してシャワー室Ｂに運び込み、開閉部４ｉのファスナーを閉じてシャワールームを密閉した後、シャワー液を浴びせて除染する。この際、被災者がストレッチャー等に載せられて搬送される場合でも、スロープ台９によってスムーズに搬送することが出来る。そして、シャワー室Ｂで除染シャワーを浴びた後、次のシャワー室Ｃですすぎシャワーを浴びる。
【００２３】
そして、シャワーを浴びて除染された被災者等は、出口側の横カーテン４の開閉部４ｉを通して着衣室Ｄに運び込まれ、病院用の服に着替えるが、この際、隣のシャワールームで次の被災者等がシャワーで除染措置を行っている場合でも、横カーテン４によりシャワー液や汚染物質等が侵入する恐れはない。そして着衣が終了すると、病院等に搬送される。
【００２４】
ところで、以上のような除染テント１は、除染処置が完了すると、シャワー液や汚染物質等が付着したものを全て破棄する必要があるため、通常、テント１全体が破棄される。
ところが、このような状態は不経済であるため、天幕３の内部に、シャワー室を形成するためのブーステントを設け、ブーステントによって内部の空間部を封鎖して、シャワー液や汚染物質等が外部に漏洩しないようにすることで、ブーステントだけを破棄して、骨格２や天幕３等を繰り返して使用出来るようにすることも可能である。
【００２５】
ここで、図６はこのような除染テントの骨格内部構造を示す構成例図であり、天幕３の内側に、空間領域の中間部分だけを囲繞するブーステント１１を骨格２から吊下げるように設け、このブーステント１１で囲まれる内部空間をシャワー室にするとともに、このブーステント１１の入口側の外側空間を脱衣室Ａにし、出口側の外側空間を着衣室Ｄにしている。
この場合、ブーステント１１は、上面と側面が覆われて内部空間を閉鎖状に囲い込むことが出来るようにされるとともに、入口側と出口側にファスナ、或いはスリットの二重合わせ構造等の開閉部を備えている。
【００２６】
そして必要に応じてブーステント１１内をカーテン等で前後方向に仕切って、シャワー室Ｂ、Ｃを形成すれば、前記例と同様な使い方をすることが出来る。
尚、この場合は、各シャワー室Ｂ、Ｃごと、独立のブーステントを骨格２から吊下げるようにしても良い。
【００２７】
このような方法により、除染処置が終えた後は、ブーステント１１やトレー７等だけを交換すれば済むようになって骨格２や天幕３等を繰り返して使用出来るようになり、無駄がなくなって経済的である。
【００２８】
尚、本発明の除染テントは、入口や出口を他のテントの入口や出口と結合させることが出来るようにすると、種々の場合に適用でき、好ましい。
【００２９】
尚、本発明は以上のような実施形態に限定されるものではない。本発明の特許請求の範囲に記載した事項と実質的に同一の構成を有し、同一の作用効果を奏するものは本発明の技術的範囲に属する。
例えば骨格２の形状等は一例であり、また、シャワー室は必ずしも前後方向に二つに仕切る必要はないし、必ずしも各部屋を縦方向に仕切る必要もない。
【００３０】
【発明の効果】
以上のように本発明の除染テントは、気柱を骨格とし、これに天幕を張ったテントにおいて、天幕の内部空間をカーテンにより複数の部屋に仕切って、カーテンのうち、少なくとも一部のカーテンの端部は、隣り合う水平方向に伸びる気柱の中心軸を結ぶ線を越えて天幕側に存在するようにするとともに、複数の部屋の少なくとも一部屋をシャワー室とし、このシャワー室に、シャワー液を受けるトレーと、すのこを配設するようにしたため、簡単な手順で、短時間に除染テントを構築することが出来、またすのこの上で被災者等がシャワーを浴びて汚染物質等を洗い流した後、トレーでシャワー液を受けるため、汚染物質等を外部に漏洩させないで処理することが出来る。
この際、カーテンの端部を、隣り合う水平方向に伸びる気柱の中心軸を結ぶ線を越えて天幕側に存在させることにより、カーテンの隙間がなくなってシャワー室のシャワー液や汚染物質等が隣室に侵入するような事態を防止することが出来る。
また、骨格内に、天幕の内部空間の一部を囲繞し且つ天幕の内部空間を複数室に仕切るブーステントを設ければ、骨格や天幕等を繰り返して使用出来るようになり、経済的である。
【図面の簡単な説明】
【図１】本発明に係る除染テントの一例を示す斜視図
【図２】同テントの内部構造を示す説明図で、（ａ）は内部透視図、（ｂ）は平面視による区画図
【図３】横カーテンの取り付け状態の説明図
【図４】横カーテンの正面図
【図５】縦カーテンの取り付け状態の説明図
【図６】除染テントの他の構成例を示す骨格内部構造の斜視図
【符号の説明】
１…除染テント、２…骨格、３…天幕、４…横カーテン、５…縦カーテン、７…トレー、８…すのこ、９…スロープ台、Ａ…脱衣室、Ｂ、Ｃ…シャワー室、Ｄ…着衣室。
【図１】
2004069400.tif 000003
【図２】
2004069400.tif 000004
【図３】
2004069400.tif 000005
【図４】
2004069400.tif 000006
【図５】
2004069400.tif 000007
【図６】
2004069400.tif 000008